【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
移動局において探査要求フレームを生成するステップと、
前記移動局においてサービス発見要求を生成するステップと、
前記サービス発見要求が閾値サイズを超えると判断するステップと、
前記サービス発見要求を２つ以上の部分に分解するステップと、
前記探査要求フレーム内に前記サービス発見要求の少なくとも第１部分をカプセル化して、変更された探査要求フレームを形成するステップと、
第２探査要求フレーム内に前記サービス発見要求の少なくとも１つの第２部分をカプセル化して、変更された第２探査要求フレームを形成するステップと、
前記変更された探査要求フレームおよび前記変更された第２探査要求フレームの両方をワイヤレスに送信するステップと
を有することを特徴とする方法。
【請求項２】
前記変更された探査要求フレームが、ブロードキャストアドレスに送信されることを特徴とする請求項１に記載の方法。
【請求項３】
前記変更された探査要求フレームが、特定のアクセスポイントのアドレスに送信されることを特徴とする請求項１に記載の方法。
【請求項４】
前記サービス発見要求が、アクセスネットワーククエリプロトコル（ＡＮＱＰ）クエリを含むことを特徴とする請求項１に記載の方法。
【請求項５】
前記サービス発見要求が、アクセスポイントによって提供されるサービスに関する情報、前記アクセスポイントに接続されたネットワークデバイスによって提供されるサービスに関する情報、またはそれらの任意の組合せに関する情報について、前記アクセスポイントに問い合わせるように構成されることを特徴とする請求項１に記載の方法。
【請求項６】
前記変更された探査要求フレームに応答する探査応答フレームを特定のアクセスポイントから受信するステップをさらに有することを特徴とする請求項１に記載の方法。
【請求項７】
前記探査応答フレームを受信するステップの後に、前記サービス発見要求の前記第１部分に応答するサービス発見応答を前記特定のアクセスポイントから受信するステップをさらに有することを特徴とする請求項６に記載の方法。
【請求項８】
前記探査応答フレームが前記サービス発見要求の少なくとも前記第１部分に応答するサービス発見応答を含むか否かを判断するステップと、
前記探査応答フレームが前記サービス発見応答を含まない場合、前記サービス発見要求の前記第１部分を含むデータフレームを送信するステップと
をさらに有することを特徴とする請求項６に記載の方法。
【請求項９】
前記サービス発見要求の少なくとも前記第１部分に応答するサービス発見応答が、前記探査応答フレーム内にカプセル化されることを特徴とする請求項６に記載の方法。
【請求項１０】
前記探査応答フレームから前記サービス発見応答を抽出するステップと、
前記サービス発見応答に基づいて、特定のサービスが前記特定のアクセスポイントから利用可能であるか否かを判断するステップと
をさらに有することを特徴とする請求項９に記載の方法。
【請求項１１】
前記サービス発見応答に基づいて、前記特定のサービスが前記特定のアクセスポイントから利用可能であると判断したことに応答して、前記探査応答フレームを受信するステップに続いて、前記特定のアクセスポイントとの認証手続きを開始するステップと、
前記認証手続きを完了した後、前記特定のアクセスポイントとの接続を確立するステップと
をさらに有することを特徴とする請求項１０に記載の方法。
【請求項１２】
送信機と、
前記送信機に接続されたプロセッサと、
前記プロセッサに接続されたメモリと
を具備し、
前記メモリは、
探査要求フレームを生成する手順と、
サービス発見要求を生成する手順と、
前記サービス発見要求が閾値サイズを超えると判断する手順と、
前記サービス発見要求を２つ以上の部分に分解する手順と、
前記探査要求フレーム内に前記サービス発見要求の少なくとも第１部分をカプセル化して、変更された探査要求フレームを形成する手順と、
第２探査要求フレーム内に前記サービス発見要求の少なくとも１つの第２部分をカプセル化して、変更された第２探査要求フレームを形成する手順と、
前記変更された探査要求フレームおよび前記変更された第２探査要求フレームの両方を前記送信機に送信させる手順と
を前記プロセッサに実行させる命令を格納することを特徴とする装置。
【請求項１３】
前記変更された探査要求フレームが、ブロードキャストアドレスに送信されることを特徴とする請求項１２に記載の装置。
【請求項１４】
前記変更された探査要求フレームが、特定のアクセスポイントのアドレスに送信されることを特徴とする請求項１２に記載の装置。
【請求項１５】
前記サービス発見要求が、アクセスネットワーククエリプロトコル（ＡＮＱＰ）クエリを含むことを特徴とする請求項１２に記載の装置。
【請求項１６】
前記サービス発見要求が、アクセスポイントによって提供されるサービスに関する情報、前記アクセスポイントに接続されたネットワークデバイスによって提供されるサービスに関する情報、またはそれらの任意の組合せに関する情報について、前記アクセスポイントに問い合わせるように構成されることを特徴とする請求項１２に記載の装置。
【請求項１７】
前記メモリが、
前記変更された探査要求フレームに応答する探査応答フレームを特定のアクセスポイントから受信する手順を前記プロセッサに実行させる命令をさらに格納することを特徴とする請求項１２に記載の装置。
【請求項１８】
前記メモリが、
前記探査応答フレームを受信する手順の後に、サービス発見応答を前記特定のアクセスポイントから受信する手順を前記プロセッサに実行させる命令をさらに格納することを特徴とする請求項１７に記載の装置。
【請求項１９】
前記メモリが、
前記探査応答フレームが前記サービス発見要求の少なくとも前記第１部分に応答するサービス発見応答を含むか否かを判断する手順と、
前記探査応答フレームが前記サービス発見応答を含まない場合、前記サービス発見要求の前記第１部分を含むデータフレームを送信する手順と
を前記プロセッサに実行させる命令をさらに格納することを特徴とする請求項１７に記載の装置。
【請求項２０】
前記サービス発見要求の少なくとも前記第１部分に応答するサービス発見応答が、前記探査応答フレーム内にカプセル化されることを特徴とする請求項１７に記載の装置。
【請求項２１】
前記メモリが、
前記探査応答フレームから前記サービス発見応答を抽出する手順と、
前記サービス発見応答に基づいて、特定のサービスが前記特定のアクセスポイントから利用可能であるか否かを判断する手順と
を前記プロセッサに実行させる命令をさらに格納することを特徴とする請求項２０に記載の装置。
【請求項２２】
前記メモリが、
前記サービス発見応答に基づいて、前記特定のサービスが前記特定のアクセスポイントから利用可能であると判断したことに応答して、前記探査応答フレームを受信する手順に続いて、前記特定のアクセスポイントとの認証手続きを開始する手順と、
前記認証手続きを完了した後、前記特定のアクセスポイントとの接続を確立する手順と
を前記プロセッサに実行させる命令をさらに格納することを特徴とする請求項２１に記載の装置。
【請求項２３】
命令を格納したプロセッサ読み取り可能な記録媒体であって、
前記命令は、プロセッサによって実行されると、前記プロセッサに、
探査要求フレームを生成する手順と、
サービス発見要求を生成する手順と、
前記サービス発見要求が閾値サイズを超えると判断する手順と、
前記サービス発見要求を２つ以上の部分に分解する手順と、
前記探査要求フレーム内に前記サービス発見要求の少なくとも第１部分をカプセル化して、変更された探査要求フレームを形成する手順と、
第２探査要求フレーム内に前記サービス発見要求の少なくとも１つの第２部分をカプセル化して、変更された第２探査要求フレームを形成する手順と、
前記変更された探査要求フレームおよび前記変更された第２探査要求フレームの両方を送信機に送信させる手順と
を実行させることを特徴とするプロセッサ読み取り可能な記録媒体。
【請求項２４】
移動局において探査要求フレームを生成するための手段と、
前記移動局においてサービス発見要求を生成するための手段と、
前記サービス発見要求が閾値サイズを超えると判断するための手段と、
前記サービス発見要求を２つ以上の部分に分解するための手段と、
前記探査要求フレーム内に前記サービス発見要求の少なくとも第１部分をカプセル化して、変更された探査要求フレームを形成するための手段と、
第２探査要求フレーム内に前記サービス発見要求の少なくとも１つの第２部分をカプセル化して、変更された第２探査要求フレームを形成するための手段と、
前記変更された探査要求フレームおよび前記変更された第２探査要求フレームの両方をワイヤレスに送信するための手段と
を具備することを特徴とする装置。
【請求項２５】
サービス発見要求を含む探査要求フレームをアクセスポイントにおいて移動局から受信するステップと、
前記サービス発見要求を抽出するステップであって、前記サービス発見要求が少なくとも第１部分および第２部分を含み、前記サービス発見要求の前記第１部分に応答する情報が前記アクセスポイントのキャッシュに格納される、ステップと、
前記キャッシュに格納された前記サービス発見要求の前記第１部分に応答する前記情報に基づいて、サービス発見応答を生成するステップと、
前記サービス発見要求の少なくとも前記第１部分に応答する前記サービス発見応答を前記アクセスポイントから前記移動局に送信するステップと
を有することを特徴とする方法。
【請求項２６】
前記アクセスポイントにおいて、前記探査要求フレームに応答する探査応答フレームを生成するステップと、
前記探査応答フレーム内に前記サービス発見応答をカプセル化して、変更された探査応答フレームを形成するステップと
をさらに有し、
前記サービス発見応答を送信するステップが、前記サービス発見応答をカプセル化している前記変更された探査応答フレームを送信するステップを含むことを特徴とする請求項２５に記載の方法。
【請求項２７】
前記サービス発見要求に基づくサービス発見クエリをジェネリックアドバタイズメントサービス（ＧＡＳ）サーバに送信するステップと、
前記サービス発見クエリに応答するクエリ応答を受信するステップと
をさらに有し、
前記サービス発見応答が、前記クエリ応答に少なくとも部分的に基づいて生成されることを特徴とする請求項２５に記載の方法。
【請求項２８】
前記アクセスポイントの前記キャッシュに前記クエリ応答の少なくとも一部分を格納するステップをさらに有することを特徴とする請求項２７に記載の方法。
【請求項２９】
前記第２部分に応答する情報が前記キャッシュに格納されていないと判断するステップと、
前記サービス発見要求の前記第２部分に基づくサービス発見クエリをジェネリックアドバタイズメントサービス（ＧＡＳ）サーバに送信するステップと、
前記サービス発見クエリに応答するクエリ応答を受信するステップであって、前記サービス発見応答が前記サービス発見要求の前記第２部分に応答する前記情報を含む、受信するステップと、
前記クエリ応答に基づいて、第２サービス発見応答を生成するステップと、
前記第２サービス発見応答を前記移動局に送信するステップと
をさらに有することを特徴とする請求項２５に記載の方法。
【請求項３０】
前記サービス発見応答が、探査応答フレーム内にカプセル化され、
前記第２サービス発見応答が、探査応答フレームでない第２のフレームで送信されることを特徴とする請求項２９に記載の方法。
【請求項３１】
前記サービス発見要求が、アクセスネットワーククエリプロトコル（ＡＮＱＰ）クエリであることを特徴とする請求項２５に記載の方法。
【請求項３２】
送信機と、
プロセッサと、
前記プロセッサに接続されたメモリと
を具備し、
前記メモリは、
サービス発見要求を含む探査要求フレームを移動局から受信する手順と、
前記サービス発見要求を抽出する手順であって、前記サービス発見要求が少なくとも第１部分および第２部分を含み、前記サービス発見要求の前記第１部分に応答する情報がアクセスポイントのキャッシュに格納される、手順と、
前記キャッシュに格納された前記サービス発見要求の前記第１部分に応答する前記情報に基づいて、サービス発見応答を生成する手順と、
前記サービス発見要求の少なくとも前記第１部分に応答する前記サービス発見応答を前記アクセスポイントから前記移動局に送信することを前記送信機に行わせる手順と
を前記プロセッサに実行させる命令を格納することを特徴とする装置。
【請求項３３】
前記メモリが、
前記探査要求フレームに応答する探査応答フレームを生成する手順と、
前記探査応答フレーム内に前記サービス発見応答をカプセル化して、変更された探査応答フレームを形成する手順と
を前記プロセッサに実行させる命令をさらに格納し、
前記サービス発見応答を送信する手順が、前記サービス発見応答をカプセル化している前記変更された探査応答フレームを送信する手順を含むことを特徴とする請求項３２に記載の装置。
【請求項３４】
前記メモリが、
前記サービス発見要求に基づくサービス発見クエリをジェネリックアドバタイズメントサービス（ＧＡＳ）サーバに送信する手順と、
前記サービス発見クエリに応答するクエリ応答を受信する手順と
を前記プロセッサに実行させる命令をさらに格納し、
前記サービス発見応答が、前記クエリ応答に少なくとも部分的に基づいて生成されることを特徴とする請求項３２に記載の装置。
【請求項３５】
前記メモリが、
前記アクセスポイントの前記キャッシュに前記クエリ応答の少なくとも一部分を格納する手順を前記プロセッサに実行させる命令をさらに格納することを特徴とする請求項３４に記載の装置。
【請求項３６】
前記メモリが、
前記第２部分に応答する情報が前記キャッシュに格納されていないと判断する手順と、
前記サービス発見要求の前記第２部分に基づくサービス発見クエリをジェネリックアドバタイズメントサービス（ＧＡＳ）サーバに送信する手順と、
前記サービス発見クエリに応答するクエリ応答を受信する手順であって、前記サービス発見応答が前記サービス発見要求の前記第２部分に応答する前記情報を含む、受信する手順と、
前記クエリ応答に基づいて、第２サービス発見応答を生成する手順と、
前記第２サービス発見応答を前記移動局に送信する手順と
を前記プロセッサに実行させる命令をさらに格納することを特徴とする請求項３２に記載の装置。
【請求項３７】
前記サービス発見応答が、探査応答フレーム内にカプセル化され、
前記第２サービス発見応答が、探査応答フレームでない第２のフレームで送信されることを特徴とする請求項３６に記載の装置。
【請求項３８】
前記サービス発見要求が、アクセスネットワーククエリプロトコル（ＡＮＱＰ）クエリであることを特徴とする請求項３２に記載の装置。
【請求項３９】
命令を格納したプロセッサ読み取り可能な記録媒体であって、
前記命令は、プロセッサによって実行されると、前記プロセッサに、
サービス発見要求を含む探査要求フレームを移動局から受信する手順と、
前記サービス発見要求を抽出する手順であって、前記サービス発見要求が少なくとも第１部分および第２部分を含み、前記サービス発見要求の前記第１部分に応答する情報がアクセスポイントのキャッシュに格納される、手順と、
前記キャッシュに格納された前記サービス発見要求の前記第１部分に応答する前記情報に基づいて、サービス発見応答を生成する手順と、
前記サービス発見要求の少なくとも前記第１部分に応答する前記サービス発見応答を前記アクセスポイントから前記移動局に送信する手順と
を実行させることを特徴とするプロセッサ読み取り可能な記録媒体。
【請求項４０】
サービス発見要求を含む探査要求フレームをアクセスポイントにおいて移動局から受信するための手段と、
前記サービス発見要求を抽出するための手段であって、前記サービス発見要求が少なくとも第１部分および第２部分を含み、前記サービス発見要求の前記第１部分に応答する情報が前記アクセスポイントのキャッシュに格納される、手段と、
前記キャッシュに格納された前記サービス発見要求の前記第１部分に応答する前記情報に基づいて、サービス発見応答を生成するための手段と、
前記サービス発見要求の少なくとも前記第１部分に応答する前記サービス発見応答を前記アクセスポイントから前記移動局に送信するための手段と
を具備することを特徴とする装置。